(57)【特許請求の範囲】
【請求項１】
多成分カートリッジ用の分配デバイス（１）であって、
前記分配デバイス（１）は、前記多成分カートリッジのカートリッジ端部を受け入れるための受け入れ要素（３）が内部に配置されたハウジング（２）を含み、
前記カートリッジ端部は、充填体で満たされた第１の貯蔵容器及び第２の貯蔵容器の入口側に配置され、前記第１の貯蔵容器及び第２の貯蔵容器は、それぞれのピストンによって前記カートリッジ端部でそれぞれ液密式に密閉され、
プランジャ装置（５）と、前記プランジャ装置（５）を移動させるための駆動装置（６）とが前記ハウジング（２）内に配置され、
前記プランジャ装置（５）の分配方向の移動は、前記多成分カートリッジの前記貯蔵容器から前記充填体を分配するための前記駆動装置（６）によって行うことができ、
前記受け入れ要素が、実質的に前記分配方向に平行に配置された回転軸線（１０）を有し、
前記受け入れ要素（３）に押し込まれた前記カートリッジ端部は、前記回転軸線（１０）のまわりで前記受け入れ要素（３）と共に前記多成分カートリッジを回転させることによって組み付け位置（２０）から、前記組み付け位置（２０）とは異なる分配位置（３０）に動かされることができ、
前記組み付け位置（２０）は、前記カートリッジ端部が前記受入れ要素（３）に取り付けられること及び前記受入れ要素（３）から取り外されることを可能にし、前記分配位置（３０）は、前記プランジャ装置（５）の移動によって前記充填体を分配することを可能にし、前記受け入れ要素（３）が溝（９）を有し、案内要素（８）が、前記取り付け状態において分離できないように前記ハウジング（２）に接続され、且つ前記溝（９）内に受け入れられることができる突起部（１４）として形成され、それにより前記受け入れ要素（３）は、前記案内要素（８）内に回転可能に配置され、また前記受け入れ要素（３）又は前記案内要素（８）は、前記組み付け位置（２０）と前記分配位置（３０）の間の回転を制限するエンドストップを有する
ことを特徴とする分配デバイス（１）。
【請求項２】
前記組み付け位置（２０）から前記分配位置までの回転角度が、実質的に９０°である請求項１に記載の分配デバイス。
【請求項３】
前記案内要素（８）は、前記取り付け状態において前記ハウジング（２）内に配置される請求項１又は２に記載の分配デバイス。
【請求項４】
前記受け入れ要素（３）が、前記ハウジング（２）内の前記案内要素（８）に回転可能に支持される請求項１から３までのいずれか一項に記載の分配デバイス。
【請求項５】
前記カートリッジ端部及び前記受け入れ要素（３）の組み付け時に、前記第１の貯蔵容器及び前記第２の貯蔵容器の長手方向の軸線を、前記第２の貯蔵容器用の第２の開口部（１３）と前記第１の貯蔵容器用の第１の開口部（１２）との間の接続ラインに沿って移動させることができる請求項１から４までのいずれか一項に記載の分配デバイス。
【請求項６】
前記受け入れ要素（３）が、前記カートリッジ端部を受け入れるための案内溝（１１）を有する請求項１から５までのいずれか一項に記載の分配デバイス。
【請求項７】
前記受け入れ要素（３）が、前記多成分カートリッジを前記分配位置（３０）及び／又は前記組み付け位置（２０）に固定するためのラッチ要素、特に前記分配位置（３０）及び／又は前記組み付け位置（２０）にラッチするためのラッチ要素を有する請求項１から６までのいずれか一項に記載の分配デバイス。
【請求項８】
使用者がラッチしたことを聞き取れるように、ラッチ時にクリック音を発することができる請求項７に記載の分配デバイス。
【請求項９】
前記カートリッジ端部は、前記受け入れ要素（３）に挿入すること、及び前記受け入れ要素（３）から再び取り外すことが可能である請求項１から８までのいずれか一項に記載の分配デバイス。
【請求項１０】
前記受け入れ要素（３）が、前記多成分カートリッジの前記貯蔵容器の正確な位置決めのためのコード化要素を有する請求項１から９までのいずれか一項に記載の分配デバイス。
【請求項１１】
前記コード化要素が、前記多成分カートリッジのそれぞれの貯蔵容器を内部に受け入れ可能な第１の開口部（１２）及び第２の開口部（１３）を含み、前記第１の開口部（１２）の直径が前記第２の開口部（１３）の直径とは異なる請求項１０に記載の分配デバイス。
【請求項１２】
前記多成分カートリッジの分配端部の方向への前記プランジャ装置（５）の移動が、前記駆動装置（６）のトリガー・レバー装置（７）の作動によって行われる請求項１から１１までのいずれか一項に記載の分配デバイス。
【発明の詳細な説明】
【技術分野】
【０００１】
本発明は、手動で作動させることができる多成分カートリッジ用の分配デバイスに関する。
【背景技術】
【０００２】
そうした分配デバイスは、例えば欧州特許第０７９１４０３Ｂ１号又は欧州特許第０７９１４０４Ｂ１号によって知られている。欧州特許第０７９１４０３Ｂ１号に記載された２成分カートリッジは、同じ断面積を有するシリンダとして形成された２つの貯蔵容器を有する。入口側のカートリッジ端部は、２つのシリンダを接続するフランジとして形成される。シリンダを分配デバイス内に正確に位置決めするために、フランジにコード化手段（ｃｏｄｉｎｇ  ｍｅａｎｓ）が取り付けられる。分配デバイスはフランジに適合した陥凹部を有し、その中にフランジが上から突き立てられる。特に充填体に粘性があるときには、ゆっくり移動する大きい分配力が、分配デバイスに対して、２成分カートリッジの分配端部のフランジ用マウント部の上部開放端に作用する。
【０００３】
このため、欧州特許第０７９１４０４Ｂ１号又は欧州特許第０５４３７７６Ｂ１号では、フランジを上から分配装置のハウジングに向かって押す安全キャップが設けられている。しかしながら、この手段は、粘性があり、ゆっくりと移動する充填体に対しては、安全キャップが大きい力によって損傷を受け、さらには破損する可能性があるため、十分ではないことが分かっている。特に、混合比が１：１の混合比からはずれる場合、多成分カートリッジが、フランジの長手方向側を介して不均一な負荷を受ける可能性があることは確かである。これによって傾斜トルクが形成される可能性があり、その結果、この場合にも安全キャップに損傷をもたらす、安全キャップにおける不均一な負荷分布が生じることがある。
【０００４】
公開済みのスイス特許第ＣＨ７０３４２７Ａ１号は、少なくとも１つの流動可能な成分をカートリッジから放出するためのディスペンサについて記載している。ディスペンサは、カートリッジ・ホルダ、及び前記ホルダ内で前進方向に沿って移動させることができる前進要素を有する。カートリッジを、前進方向に逆らって、カートリッジ・ホルダ内に軸方向に挿入することができる。カートリッジを軸方向に固定するために、カートリッジ・ホルダに回転要素が取り付けられる。カートリッジは、第１の向きにおいて、前進方向に逆らってカートリッジ・ホルダ内に挿入することができるが、回転要素は、第２の向きにおいて、挿入されたカートリッジを軸方向に固定する。回転要素が第１の向きから第２の向きに回転する間、したがって、カートリッジを軸方向に固定する間、カートリッジは回転しない。
【先行技術文献】
【特許文献】
【０００５】
【特許文献１】欧州特許第０７９１４０３Ｂ１号
【特許文献２】欧州特許第０７９１４０４Ｂ１号
【特許文献３】欧州特許第０５４３７７６Ｂ１号
【特許文献４】スイス特許第ＣＨ７０３４２７Ａ１号
【発明の概要】
【発明が解決しようとする課題】
【０００６】
本発明の目的は、分配デバイス内のカートリッジ端部のフランジの代替的なアタッチメントを提供することであり、分配デバイスは、改善された負荷分布によってカートリッジ端部のフランジ用マウント部が受ける力が小さくなるため、より長い動作寿命を有するようになる。
【０００７】
本発明の他の目的は、多成分カートリッジの簡易化された扱い及び交換を可能にする分配デバイスを提供することである。
【課題を解決するための手段】
【０００８】
本発明の目的は、以下の特徴を有する分配デバイスによって満たされる。多成分カートリッジ用の分配デバイスは、多成分カートリッジのカートリッジ端部を受け入れるための受け入れ要素が内部に配置されたハウジングを含む。カートリッジ端部は、多成分カートリッジの入口側に配置されている。２成分カートリッジの形の多成分カートリッジは、それぞれが充填体で満たされた第１の貯蔵容器及び第２の貯蔵容器であって、それぞれのピストンによってカートリッジ端部でそれぞれ液密式に密閉される第１の貯蔵容器及び第２の貯蔵容器を有する。ハウジング内には、プランジャ装置と、プランジャ装置を移動させるための駆動装置とが配置される。プランジャ装置の分配方向の移動は、駆動装置によって行われ、充填体を多成分カートリッジの貯蔵容器から分配することができる。受け入れ要素は、実質的に分配方向に平行に配置された回転軸線を有する。受け入れ要素に押し込まれたカートリッジ端部は、この回転軸線のまわりの回転によって、組み付け位置から分配位置に動かすことができる。多成分カートリッジは、特に、分配方向に対して交差するようにして受け入れ要素内に取り付けられる。
【０００９】
カートリッジ端部が組み付け位置から分配位置まで回転するための回転角度は、有利には実質的に９０°である。これにより、負荷分布ができるだけ均一になり、カートリッジ端部が、特に狭い挿入部から離れ、受け入れ要素に完全に受け入れられることが保証される。
【００１０】
実施例によれば、受け入れ要素は、案内要素内に回転可能に配置される。このために案内要素は、取り付けられた状態においてハウジングに分離できないように接続することができる。特に受け入れ要素は、ハウジング内の案内要素に回転可能に支持することができる。案内要素は突起部として形成すること、及び受け入れ要素の溝に受け入れることが可能である。
【００１１】
カートリッジ端部及び受け入れ要素の組み付け時に、第１の貯蔵容器及び第２の貯蔵容器を、第２の貯蔵容器用の第２の開口部と第１の貯蔵容器用の第１の開口部との間で、第１の貯蔵容器の長手方向の軸線と第２の貯蔵容器の長手方向の軸線との間に延びる接続ラインに沿って移動させることができる。これにより、挿入が最も小さい寸法、すなわちカートリッジ端部のフランジの幅寸法によって行われることが保証される。
【００１２】
実施例によれば、受け入れ要素は、カートリッジ端部を受け入れるための案内溝を有する。特に、受け入れ要素又は案内要素は、組み付け位置と分配位置の間の回転を制限するために、アバットメントを有することができる。受け入れ要素は、多成分カートリッジを分配位置及び／又は組み付け位置に固定するための、アバットメント及び／又はラッチ要素を有することができ、特に受け入れ要素は、分配位置及び／又は組み付け位置にラッチするためのラッチ要素を有する。使用者がラッチしたことを聞き取れるように、ラッチ時にクリック音を発することができる。
【００１３】
実施例のそれぞれによれば、カートリッジ端部は、受け入れ要素に挿入すること、及び受け入れ要素から再び取り外すことが可能である。受け入れ要素は、多成分カートリッジの貯蔵容器の正確な位置決めのためのコード化要素（符号化要素）を有することができる。特にコード化要素は、多成分カートリッジのそれぞれの貯蔵容器を内部に受け入れ可能な第１の開口部及び第２の開口部を含むことができ、ここで第１の開口部の直径は第２の開口部の直径とは異なっていてもよい。
【００１４】
駆動装置は、例えば駆動装置のトリガー・レバー装置の作動によって、多成分カートリッジの分配端部の方向へのプランジャ装置の移動を実施することができる。
【００１５】
他の実施例によれば、第１のプランジャ及び第２のプランジャは、同じ大きさのものとすることができる。
【００１６】
本発明は、特に前述の実施例のいずれか１つによる分配デバイス、並びに分配デバイスに受け入れるための少なくとも１つの多成分カートリッジを有するシステムを含む。
【００１７】
分配デバイス内に多成分カートリッジのカートリッジ端部を取り付けるための方法は、多成分カートリッジのカートリッジ端部を、組み付け位置においてハウジング内に回転可能に配置された受け入れ要素に挿入するステップであって、カートリッジ端部が、充填体で満たされた第１の貯蔵容器及び第２の貯蔵容器の入口側に配置されており、第１の貯蔵容器及び第２の貯蔵容器が、それぞれのピストンによってカートリッジ端部でそれぞれ液密式に密閉されるようになされたステップと、カートリッジ要素、及びカートリッジ端部に回転するようにしっかりと接続された受け入れ要素を分配位置に回転させるステップとを含む。
【００１８】
特に、組み付け位置及び／又は分配位置は、アバットメント又はラッチ要素によって決めることができ、また特にアバットメント及び／又はラッチ要素によって、組み付け位置及び／又は分配位置を確保することも可能である。
【００１９】
固定にはラッチを含むことができ、ラッチ時に、ラッチが行われたことを使用者に知らせるクリック音を発生させることができる。
【００２０】
反対方向に回転させることによって、カートリッジ端部を分配位置から組み付け位置に戻すことができる。組み付け位置では、カートリッジ端部を受け入れ要素から取り外すことができる。
【００２１】
受け入れ要素は、コード化要素を有することができる。貯蔵容器は、コード化要素によって分配デバイスに正確に接続することができる。正確な接続は、異なる混合比の場合、それによってプランジャが異なる大きさを有することがあるため重要である。
【００２２】
プランジャは、駆動装置によって移動される。駆動装置は、実施例の１つによるトリガー・レバー装置を含む。トリガー・レバー装置を作動させることによって、トリガー・レバー装置に接続された供給機構が作動され、その結果、多成分カートリッジの分配端部の方向にプランジャの移動が行われる。供給機構は、プランジャ装置に取り付けられた歯付き軌道と相互作用する少なくとも１つの回転可能なフィンガ要素を含む。これと類似して、この位置にクランプ要素を設けることも妥当であろう。クランプ要素により、代替的な示されていない実施例に従い、摩擦閉鎖によってプランジャ装置を移動させることができる。
【００２３】
分配位置では、プランジャの移動によって、多成分カートリッジの対応する貯蔵容器に移動可能に支持されたピストンが多成分カートリッジの分配端部の方向に動かされる。これにより、対応する貯蔵容器の充填体積が減少し、充填体が多成分カートリッジの分配端部を介して分配される。多成分カートリッジの分配端部にはミキサを取り付けることができる。このミキサは、各貯蔵容器の充填体の成分を互いに混合するために、静的混合要素を含むことができる。
【００２４】
以下では、図面を参照して本発明について説明する。
【図面の簡単な説明】
【００２５】
【図１】ハウジングの一部を取り除いた、第１の実施例による分配デバイスを通る縦断面図である。
【図２】第１の実施例による受け入れ要素、及び受け入れ要素に受け入れられるように企図された２成分カートリッジを示す図である。
【図３】２成分カートリッジを内部に受け入れた状態の図２による受け入れ要素を示す図である。
【図４】図２による受け入れ要素のカートリッジ側からの図である。
【図５】受け入れ要素の、分配デバイスのハウジング内に受け入れられる側からの図である。
【図６】第２の実施例による受け入れ要素のカートリッジ側からの図である。
【図７】受け入れ要素の、分配デバイスのハウジング内に受け入れられる側からの図である。
【発明を実施するための形態】
【００２６】
第１の実施例による分配デバイス１を通る縦断面図が、図１に示されている。分配デバイスの個々の構成要素からなる装置を見える部分として示すために、ハウジング２の一部を取り除いてある。ハウジング２の中に、多成分カートリッジのカートリッジ端部を受け入れるための受け入れ要素３が配置される。そうした多成分カートリッジが、例えば図２に示されている。多成分カートリッジのカートリッジ端部は、カートリッジの入口側に配置される複数の貯蔵容器であって、充填体で満たされており、またそれぞれがピストンによってそれぞれ液密式に密閉される複数の貯蔵容器を含む。この装置には、２つの貯蔵容器が示されている。
【００２７】
図が不明確になりすぎないように、図１には多成分カートリッジを示していない。受け入れ要素３は、プランジャ装置５がそれを通って移動することが可能な開口部を含む。ハウジング２内には、プランジャ装置５用のマウント部４がさらに存在する。プランジャ装置５は、案内レール上に支持される２つのプランジャを含む。プランジャは、図１の水平方向に移動させることができる。これらが多成分カートリッジのピストンを押し、ピストンを多成分カートリッジの分配端部の方向に移動させる。これによって、貯蔵容器内に存在する充填体が分配される。
【００２８】
プランジャの移動は、プランジャ装置５を移動させるように働く駆動装置６によって行われる。多成分カートリッジの分配端部の方向におけるプランジャ装置５の移動は、トリガー・レバー装置７を作動させることによって行うことができる。
【００２９】
分配端部の方向におけるこの移動方向を、充填体を多成分カートリッジの貯蔵容器から分配するための分配方向と呼ぶ。プランジャ装置５の移動は、プランジャ装置５を通って延びる長手方向の軸線に沿って行われる。
【００３０】
受け入れ要素は、実質的に分配方向に平行に配置された回転軸線１０を有する。受け入れ要素３に押し込まれたカートリッジ端部は、回転軸線１０のまわりの回転によって組み付け位置から分配位置に移される。受け入れ要素３は、案内要素８の中に回転可能に配置される。案内要素８はハウジング２の中に配置され、特にハウジングの一部として形成すること、したがって、ハウジング２に分離できないように接続することが可能である。図１によれば、案内要素８は、受け入れ要素の溝９の中に案内することができる突起部１４である。溝は、少なくとも部分的に取り囲む溝９として形成される。突起部１４は、案内要素８の周縁に配置された複数の部分からなることができる。
【００３１】
図２は、第１の実施例による受け入れ要素３、及び受け入れ要素３に受け入れられるように企図された２成分カートリッジを示している。受け入れ要素３は、基本的な形としては実質的に円筒形の物体であり、図３では省略されている溝９によってハウジング２内に保持される。
【００３２】
ほとんどの場合、カートリッジ端部は、入口側に、多成分カートリッジの２つの貯蔵容器を接続するためのフランジを有する。このフランジはカートリッジの組み付け時に、カートリッジ端部を受け入れるように働く受け入れ要素３に配置された案内溝１１の中に導入される。案内溝１１は、受け入れ要素内に存在する中空空間１６の一部であり、これは実質的にカートリッジ端部の形状、特にカートリッジ端部のフランジの形状である。中空空間１６は、組み付け状態において多成分カートリッジの貯蔵容器を受け入れる、第１の前側開口部１２及び第２の前側開口部１３を有する。
【００３３】
さらに中空空間は、カートリッジ端部への挿入及びカートリッジ端部からの抜き出しを可能にする、受け入れ要素のジャケット内の開口部１７を有する。開口部１７は、的確にはカートリッジ端部を受け入れ要素に挿入することができるように十分に大きく、したがって、２つの貯蔵容器を順々に挿入することが可能であり、これは、第１の貯蔵容器が、第１の貯蔵容器向けの第１の開口部１２に対して同軸に配置される位置に到達するために、第２の貯蔵容器向けの第２の開口部１３を通して移動されることを意味する。これは、カートリッジ端部が、第１の開口部１２を覆うために、第２の開口部１３上で押されるように受け入れ要素に挿入されることを意味する。したがって、カートリッジ端部及び受け入れ要素の組み付け時に、貯蔵容器は、第２の開口部１３と第１の開口部１２との間で、それらの長手方向の軸線に対して直角な面内に位置し、これらの長手方向の軸線を正確に接続する接続ラインに沿って移動される。
【００３４】
したがって開口部１７は、実質的にフランジの幅寸法に対応する最大幅寸法２３を有する。中空空間の深さは、少なくともフランジの長手方向の寸法に対応する。この配置は、受け入れ要素３のジャケット表面の極力最小の部分だけがジャケット側の開口部１７として使用されるという利点を有する。これにより、受け入れ要素３の弱化が最小限になり、したがって、受け入れ要素３の剛性及び頑健性（構造安定性）が増す。
【００３５】
分配デバイスが垂直位置に保持され、受け入れ要素３が組み付け位置２０に位置するとき、開口部１７は頂部にあることが好ましい。これは、この好ましい変形形態において、カートリッジが頂部から、したがって分配方向に対して交差するように取り付けられることを意味する。
【００３６】
図３は、２成分カートリッジが内部に受け入れられた、図２による受け入れ要素を示している。組み付け位置（組み付け姿勢）２０から分配位置（分配姿勢）３０までの回転角度は、実質的に９０°である。図３では、ジャケット側の開口部１７を、上側の位置から回転によって横方向の位置になるようにし、その結果、カートリッジが実質的に水平な位置をとるようになることが明らかである。分配デバイスが垂直位置に保持されたとき、第１の開口部１２及び第２の開口部１３は、実質的に互いに隣りに位置し、したがって、貯蔵容器の長手方向の軸線は実質的に水平面内に配置される。
【００３７】
図４は、取り付けられた状態における、図２による受け入れ要素のカートリッジ側からの図を示している。第１の開口部１２及び第２の開口部１３は、分配位置に対応する位置に示されている。さらに図４の例には、２つのプランジャのための陥凹部１８、１９が示されている。陥凹部１８、１９は、実質的に円形である。陥凹部１８の直径は、陥凹部１９の直径より小さい。この装置は、混合比が少なくとも４：１である多成分カートリッジに適している。特に混合比は１０：１であっても、又はそれより高くてもよい。充填体積は少なくとも１０ｍｌ、好ましくは少なくとも２５ｍｌ、特に好ましくは５０ｍｌとすることができる。充填体積は、多くとも２００ｍｌ、好ましくは多くとも７５ｍｌとすることができる。
【００３８】
図５は、受け入れ要素の、分配デバイスのハウジング内に受け入れられる側からの図を示している。ハウジング内に配置された案内要素を受け入れるように働く溝９と同様に、プランジャ用の陥凹部１８及び１９も示されている。さらに、ラッチ要素２１並びにラッチ要素２２が示されている。ラッチ要素２１は、分配位置３０において受け入れ要素を固定し、ラッチ要素２２は、組み付け位置２０において受け入れ要素をラッチする。
【００３９】
図６は、取り付けられた状態における、第２の実施例による受け入れ要素のカートリッジ側からの図を示している。第１の開口部１２及び第２の開口部１３は、分配位置に対応する位置に示されている。さらに図４の例には、２つのプランジャのための陥凹部１８、１９が示されている。陥凹部１８、１９は、実質的に円形である。陥凹部１８の直径は、陥凹部１９の直径に等しい大きさのものである。この装置は、混合比が１：１であるか、又はこれから実質的に離れていない多成分カートリッジに適している。特に混合比は、最大２：１とすることができる。充填体積は少なくとも１０ｍｌ、好ましくは少なくとも２５ｍｌ、特に好ましくは５０ｍｌとすることができる。充填体積は、多くとも２００ｍｌ、好ましくは多くとも７５ｍｌとすることができる。図７は、受け入れ要素の、分配デバイスのハウジング内に受け入れられる側からの図を示している。図５に関する記述に関連付けることができるように、図６に対応して形成された陥凹部１８、１９を除き、図７では同じ要素が用いられている。
【符号の説明】
【００４０】
１  分配デバイス
２  ハウジング
３  受け入れ要素
４  マウント部
５  プランジャ装置
６  駆動装置
７  トリガー・レバー装置
８  案内要素
９  溝
１０  回転軸線
１１  案内溝
１２  第１の前側開口部
１３  第２の前側開口部
１４  突起部
１５  アバットメント
１６  中空空間
１７  開口部
１８、１９  陥凹部
２０  組み付け位置
２１、２２  ラッチ要素
２３  最大幅寸法
３０  分配位置
【図１】
0006336239.tif 000002
【図２】
0006336239.tif 000003
【図３】
0006336239.tif 000004
【図４】
0006336239.tif 000005
【図５】
0006336239.tif 000006
【図６】
0006336239.tif 000007
【図７】
0006336239.tif 000008